(57)【要約】【課題】  本発明は、衛生的でしかも良好な開封性および注出性を有する蓋付きカップ容器を提供することを目的とする。【解決手段】上端開口部をシール部材２３で封止した容器本体１に蓋体６を被せ状に組付けた蓋付きカップ容器において、蓋体６に、先端部を先端刃部１４とした盛り上がり構造の切刃壁板１３をヒンジ結合して上下に揺動変位可能に設け、また下端縁を切刃とした切刃筒片２１を切刃壁板１３に垂下状に上下変位可能に設け、シール部材２３に切刃壁板１３による開封口と切刃筒片２１による開封口を別々に開設可能とした。【選択図】  図１
2014065542.tif 000002
【特許請求の範囲】
【請求項１】
上端開口部をシール部材で封止したカップ状の容器本体と、該容器本体に被さり状に組付く蓋体とから成り、該蓋体にシール部材を切断して開封する切刃壁板を設けた蓋付きカップ容器であって、前記切刃壁板を盛り上がり構造とすると共に該切刃壁板の延出端が先端刃部である構成とし、該切刃壁板を蓋体にヒンジ結合して上下揺動変位可能とし、下端縁で前記シール部材を切断する垂下筒片状の切刃筒片を前記切刃壁板に垂下状に設け、前記切刃筒片の蓋体に対する組付きを上下変位可能とした蓋付きカップ容器。
【請求項２】
蓋体を、下端部を容器本体への装着機能部とした周壁と、該周壁内を上下に区画する隔壁状の本体壁とから構成し、前記本体壁をスリットとヒンジによりベース壁板と切刃壁板とに区画し、該切刃壁板を、基端を前記ベース壁板にヒンジ結合した長板状の板片部と、該板片部の先端から湾曲下降して延出設された先端刃部とで構成し、前記ヒンジから板片部先端までの距離に比べて、前記先端刃部までの距離を大きく設定した請求項１に記載の蓋付きカップ容器。
【請求項３】
切刃壁板の板片部に切刃筒片を垂下状に設けた請求項２に記載の蓋付きカップ容器。
【請求項４】
ベース壁板の上面に、他のカップ容器の載置が可能である台座片を、周壁に沿って円弧状に起立設した請求項１乃至３のいずれか１項に記載の蓋付きカップ容器。
【請求項５】
切刃筒片の内径を、ストローの挿入が可能な値に設定した請求項１乃至４のいずれか１項に記載の蓋付きカップ容器。
【発明の詳細な説明】
【技術分野】
【０００１】
本発明は、上端開口部をフィルム状のシール部材で封止したカップ状の容器本体と、この容器本体の上端開口部を覆って組付き、シール部材を切断して開封すると共に注出口を開設する切断機能部を有する蓋体との組合せで構成される蓋付きカップ容器に関するものである。
【背景技術】
【０００２】
蓋付きカップ容器として、例えば特許文献１に示されるように、開口部がシール部材によって封止された容器本体に、シール部材を切断して開封する切刃機能部を備えた蓋体を被着させた構成が知られている。切刃機能部は、シール部材を上方から覆う蓋体の天壁部に設けられており、その先端部にシール部材側に向けて突出する切刃が形成されていると共に、基端部が天壁部にヒンジを介して連結されている。
【０００３】
切刃機能部を、上方から指等で押圧すると、切刃がシール部材に向けて下降移動するように切刃機能部が回動することにより、切刃がシール部材を切断して、蓋付きカップ容器が開封されるようになっている。
【先行技術文献】
【特許文献】
【０００４】
【特許文献１】特開２００５−０２２７５７公報
【発明の概要】
【発明が解決しようとする課題】
【０００５】
しかしながら、上記した従来技術にあっては、切刃機能部を指で押し込んだ時に、指が容器本体内に入り込んで内容液に触れることがあり、これにより不衛生となる恐れがあった。また、開封に要する操作力を低減させて、開封性を向上させる要望も高まっている。さらに、形成された開封口からの内容液の注出が、円滑にかつ良好に達成できる要望も高まっている。
【０００６】
そこで本発明は、上記した事情を考慮して創案されたもので、衛生的でしかも良好な開封性および注出性を有する蓋付きカップ容器を提供することを目的とする。
【課題を解決するための手段】
【０００７】
上記技術的課題を解決する手段の内、本発明の主たる構成は、
上端開口部をシール部材で封止したカップ状の容器本体と、この容器本体に被さり状に組付く蓋体とから成り、この蓋体にシール部材を切断して開封する切刃壁板を設けた蓋付きカップ容器であること、
蓋体の切刃壁板を盛り上がり構造とすると共に切刃壁板の延出端が先端刃部である構成とし、この切刃壁板を蓋体にヒンジ結合して上下揺動変位可能とすること、
下端縁でシール部材を切断する垂下筒片状の切刃筒片を切刃壁板に垂下状に設け、切刃筒片の蓋体に対する組付きを上下変位可能とすること、
にある。
【０００８】
蓋体に設けた切刃壁板は、ヒンジを支点としたテコ作用により上下方向に揺動変位し、先端の先端刃部でシール部材を切断して容器本体の開封を達成するので、先端刃部の上下変位ストロークを大きくすることが可能であり、これにより指先による小さな操作ストロークで開封が可能となるので、指先が内容液に触れる不都合が生じる恐れはない。また、小さな操作ストロークで、先端刃部の大きな上下変位ストロークを得られるので、シール部材に大きな開封口を容易に形成することができる。
【０００９】
また、切刃壁板による開封口の形成とは別に、切刃筒片により開封口が形成されるので、シール部材には二つの開封口が開口形成されることになり、それゆえ一方が内容液の注出口として機能する時には他方を置換空気孔として機能させることができる。
【００１０】
本発明の別の構成は、上記した主たる構成に加えて、蓋体を、下端部を容器本体への装着機能部とした周壁と、この周壁内を上下に区画する隔壁状の本体壁とから構成し、本体壁をスリットとヒンジによりベース壁板と切刃壁板とに区画し、この切刃壁板を、基端をベース壁板にヒンジ結合した長板状の板片部と、この板片部の先端から湾曲下降して延出設された先端刃部とで構成し、ヒンジから板片部先端までの距離に比べて、先端刃部までの距離を大きく設定した、ものである。
【００１１】
ヒンジから板片部先端までの距離に比べて、先端刃部までの距離を大きく設定したものにあっては、切刃壁板の先端刃部に、より大きな揺動変位ストロークを与えることができる。
【００１２】
また、本発明の別の構成は、上記した主たる構成に加えて、切刃壁板の板片部に切刃筒片を垂下状に設けた、ものである。
【００１３】
切刃壁板の板片部に切刃筒片を垂下状に設けたものにあっては、切刃壁板によるシール部材切断動作と一緒に、切刃筒片によるシール部材切断動作が行われることになる。
【００１４】
また、本発明の別の構成は、上記した主たる構成に加えて、ベース壁板の上面に、他のカップ容器の載置が可能である台座片を、周壁に沿って円弧状に起立設した、ものである。
【００１５】
台座片を周壁に沿って円弧状に起立設したものにあっては、保護用のカバーが無くても、蓋付きカップ容器の積み重ねを、安全に行うことができる。
【００１６】
また、本発明の別の構成は、上記した主たる構成に加えて、切刃筒片の内径を、ストローの挿入が可能な値に設定した、ものである。
【００１７】
切刃筒片の内径を、ストローの挿入が可能な値に設定したものにあっては、切刃筒片によりシール部材に開設された開封口を、使用するストローの先端を鋭利にすることなしにストロー口として機能させることができる。
【発明の効果】
【００１８】
本発明は、上記した構成となっているので、以下に示す効果を奏する。
切刃壁板に対する指先による小さな操作ストロークで開封が可能となるので、指先が内容液に触れる不都合が生じる恐れはなく、これにより内容液を衛生的に取扱うことができる。
【００１９】
また、シール部材に大きな開封口を容易に形成することができるので、所望する内容液注出能力を簡単に得ることができる。
【００２０】
さらに、二つの開封口を形成することができ、一方を内容液の注出口として機能する時には他方を置換空気孔として機能させることができるので、内容液の円滑で良好な注出動作を得ることができる。
【００２１】
ヒンジから板片部先端までの距離に比べて、先端刃部までの距離を大きく設定したものにあっては、切刃壁板の先端刃部に、より大きな揺動変位ストロークを与えることができるので、より衛生的な使用状態と、大きな注出能力を発揮させることができる。
【００２２】
切刃壁板の板片部に切刃筒片を垂下状に設けたものにあっては、切刃壁板によるシール部材切断動作と一緒に、切刃筒片によるシール部材切断動作が行われることになるので、シール部材に対する二つの開封口の形成動作が簡単となる。
【００２３】
台座片を周壁に沿って円弧状に起立設したものにあっては、保護用のカバーが無くても、蓋付きカップ容器の積み重ねを、安全に行うことができるので、複数の蓋付きカップ容器の良好な取り扱いを得ることができる。
【００２４】
切刃筒片の内径を、ストローの挿入が可能な値に設定したものにあっては、切刃筒片によりシール部材に開設された開封口を、使用するストローの先端を鋭利にすることなしにストロー口として機能させることができるので、簡単で便利なストローの利用を得ることができる。
【図面の簡単な説明】
【００２５】
【図１】本発明の実施形態例を示す、一部半縦断した全体縦断側面図である。
【図２】図１のカバーを取り去った状態の、平面図である。
【図３】図１の開封動作状態の、一部半縦断した全体縦断側面図である。
【図４】図１の他の蓋付きカップ容器を積み重ねた、縦断側面図である。
【発明を実施するための形態】
【００２６】
以下、図面を参照して、本発明の実施形態例について説明する。図示実施形態例は、上端開口部がシール部材２３で封止された容器本体１に、シール部材２３を切断して開封する切刃壁板１３を有する蓋体６が被せ状に密に組付けられている。
【００２７】
容器本体１は、下方に少し縮径した胴部２の下端を底部４で塞いだ有底円筒状となっており、上端開口部の周縁部には口鍔５が周設され、この口鍔５の上面のシール部材２３を密に貼着して、容器本体１の封止を達成している。なお、胴部２の内周面下端部に突設した突片３は、容器本体１のスタック防止用であり、また底部４の下面周端縁には、胴部２を下方に延長した形態で脚片が付形されている。
【００２８】
蓋体６は、円筒状の周壁７と、この周壁７に内部を上下に区画する隔壁状の本体壁１０とから構成され、周壁７の下端部には、口鍔５に外嵌して係止する装着筒片８と、口鍔５上面に貼着されたシール部材２３部分に上方から密に突き当たる突き当たり筒片９とにより、装着機能部が形成されている。
【００２９】
本体壁１０は、ヒンジ１９とスリット２０により、ベース壁板１１と切刃壁板１３とに区画されており、切刃壁板１３は、先端刃部１４と板片部１６とから構成されており、板片部１６の基端をヒンジ１９によりベース壁板１１に連結することにより、ヒンジ１９を支点として上下に揺動変位可能となっており、板片部１６の延出端である垂下姿勢となった先端部を先端刃部１４とし、この先端刃部１４の下端縁である刃は、容器本体１の上端開口部を封止しているシール部材２３部分の周端縁の直上に、この周端縁に沿って位置している。
【００３０】
また、本体壁１０には、下端縁を、シール部材２３を切断可能な切断刃とした切刃筒片２１が上下変位可能に垂下状に設けられており、切刃壁板１３とは別に、シール部材２３に開封口を開設するようにしている。
【００３１】
切刃筒片２１は円筒形状をしているので、この切刃筒片２１がシール部材２３を切断して開設した開封口に切刃筒片２１が侵入したままであっても、切刃筒片２１が開封口を塞ぐことは全くなく、常に開放状態が確保されることになる。
【００３２】
図１ないし図４に示した実施形態例の場合、切刃壁板１３は、盛り上がると共に先端側に拡幅した板片状に構成されており、盛り上がって上位に位置した板片部１６の上面先端部分には、指先による押下げ部を形成する細かい滑り止め用の突条が形成されており（図２参照）、先端刃部１４は、この板片部１６の先端から湾曲して下降する幅広な垂下板片状（図１参照）に成形されている。なお、切刃壁板１３の下面に設けたリブ片１５は、切刃壁板１３の盛り上がり構造を補強するものである。
【００３３】
それゆえ、ヒンジ１９から板片部１６の先端までの距離に比べて、ヒンジ１９から先端刃部１４の刃までの距離が大きくなり（図１参照）、これにより板片部１６に対する小さな押下げストロークにより、先端刃部１４の大きな下降揺動ストロークを得ることができ、これにより切刃壁板１３に対する無理のない普通の押下げにより、シール部材２３に大きな開封口を開設することが可能となる。
【００３４】
板片部１６の略中央部には、切刃筒片２１が、その下端縁をシール部材２３の直上に位置させた状態（図１参照）で垂下状に設けられており、それゆえ切刃壁板１３を押下げて先端刃部１４でシール部材２３に開封口を開設すると同時に切刃筒片２１による開封口がシール部材２３に開設される（図３参照）ことになる。
【００３５】
また、ベース壁板１１には、周壁７に沿って略４分の３の円弧状（図２参照）に、切刃壁板１３の盛り上がり程度よりも大きい高さで台座片１２（図１参照）が起立設されており、カバー２４が無くても他の蓋付きカップ容器を安全に積み重ねる（図４参照）ことができるようにしている。
【００３６】
次に、図示した蓋付きカップ容器の取り扱い例を説明する。
切刃壁板１３の板片部１６の上面先端部を指先で押下げると、先端刃部１４および切刃筒片２１が揺動下降変位して、それぞれシール部材２３に開封口を開設する。
【００３７】
先端刃部１４が開設した開封口を内容液の注出口として機能させる場合には、蓋付きカップ容器全体を傾けて内容液を注出するが、この際、切刃筒片２１による開封口は置換空気用として機能する。また切刃筒片２１が開設した開封口を使用してストロー２５により内容液を吸い出す場合には、切刃筒片２１からストロー２５を挿入し、このストロー２５を切刃筒片２１で支持して内容液の吸い出しを安定的に行うことができるが、この際、先端刃部１４による開封口は置換空気用として機能する。
【００３８】
なお、本発明の実施形態例は、図示した形態に限定されることはなく、例えば容器本体１を有底円筒状ではなく、有底角筒状とすることは可能であり、この点は蓋体６も同様である。
【産業上の利用可能性】
【００３９】
以上説明したように、本発明の蓋付きカップ容器は、シール部材に開封口を開設する切刃壁板と切刃筒片を有するので、使用状態に好適に適応した開封口形成形態を自由に選択することができ、特に携帯用の蓋付きカップ容器として幅広い利用展開が期待できる。
【符号の説明】
【００４０】
１  ；容器本体
２  ；胴部
３  ；突片
４  ；底部
５  ；口鍔
６  ；蓋体
７  ；周壁
８  ；装着筒片
９  ；突き当たり筒片
１０；本体壁
１１；ベース壁板
１２；台座片
１３；切刃壁板
１４；先端刃部
１５；リブ片
１６：板片部
１９；ヒンジ
２０；スリット
２１；切刃筒片
２３；シール部材
２４；カバー
２５；ストロー
【図１】
2014065542.tif 000003
【図２】
2014065542.tif 000004
【図３】
2014065542.tif 000005
【図４】
2014065542.tif 000006